(57)【要約】【課題】冷蔵室を具備する建物において、低コストで結露の発生を抑制することが可能な建物を提供する。【解決手段】屋外１に隣接する収納室２０と、収納室２０に隣接する居室１０と、収納室２０内の空気を冷却する冷却ユニット１９０と、屋外１と収納室２０とを区画する屋外側壁（冷蔵室屋外側壁部１１１・１１２及び前室屋外側壁部１３１）と、収納室２０と居室１０とを区画する屋内側壁（冷蔵室屋内側壁部１２１及び前室屋内側壁部１４１・１４２）と、を具備し、前記屋外側壁は、その断熱性能が、前記屋内側壁よりも高くなるように形成した。【選択図】図１
2017110352.tif 000002
【特許請求の範囲】
【請求項１】
屋外に隣接する収納室と、
前記収納室に隣接する居室と、
前記収納室内の空気を冷却する冷却装置と、
前記屋外と前記収納室とを区画する屋外側壁と、
前記収納室と前記居室とを区画する屋内側壁と、
を具備し、
前記屋外側壁は、その断熱性能が、前記屋内側壁よりも高くなるように形成される、
建物。
【請求項２】
前記収納室は、
冷蔵室と、
前記冷蔵室に隣接する前室と、
を含み、
前記冷却装置は、
前記冷蔵室内の空気を冷却し、
前記屋外側壁は、
前記屋外と前記冷蔵室とを区画する第一の壁を含み、
前記屋内側壁は、
前記前室と前記居室とを区画する第二の壁を含み、
前記冷蔵室と前記前室とを区画する第三の壁をさらに具備し、
前記第三の壁は、その断熱性能が、前記第二の壁の断熱性能よりも高く、かつ前記第一の壁の断熱性能よりも低くなるように形成される、
請求項１に記載の建物。
【請求項３】
前記屋外側壁は、
前記屋外と前記前室とを区画する第四の壁をさらに具備し、
前記第四の壁は、その断熱性能が、前記第三の壁の断熱性能よりも高く、かつ前記第一の壁の断熱性能よりも低くなるように形成される、
請求項２に記載の建物。
【請求項４】
前記第一の壁、前記第二の壁及び前記第三の壁は、以下の数式（１）を満たすように形成されている、
請求項２に記載の建物。
Ｕ１：Ｕ２：Ｕ３＝１：２．５〜１２．５：２．４〜４．０  ・・・  （１）
ここで、
Ｕ１  ：  第一の壁の熱貫流率
Ｕ２  ：  第二の壁の熱貫流率
Ｕ３  ：  第三の壁の熱貫流率
【請求項５】
前記第一の壁、前記第二の壁、前記第三の壁及び前記第四の壁は、以下の数式（２）を満たすように形成されている、
請求項３に記載の建物。
Ｕ１：Ｕ２：Ｕ３：Ｕ４＝１：２．５〜１２．５：２．４〜４．０：１．５〜２．６  ・・・  （２）
ここで、
Ｕ１  ：  第一の壁の熱貫流率
Ｕ２  ：  第二の壁の熱貫流率
Ｕ３  ：  第三の壁の熱貫流率
Ｕ４  ：  第四の壁の熱貫流率
【請求項６】
前記収納室及び前記居室の上方に亘る天井裏と、
前記居室と前記天井裏とを区画する第一の天井と、
前記収納室と前記天井裏とを区画する第二の天井と、
をさらに具備し、
前記第二の天井は、
少なくとも一部が、前記第一の天井よりも低い位置に配置される、
請求項１から請求項５までのいずれか一項に記載の建物。
【発明の詳細な説明】
【技術分野】
【０００１】
本発明は、居室よりも低温に保たれる収納室を具備する建物の技術に関する。
【背景技術】
【０００２】
従来、居室よりも低温に保たれる収納室を具備する建物の技術は公知となっている。例えば、特許文献１に記載の如くである。
【０００３】
特許文献１に記載の技術は、住宅に保冷室を設け、当該保冷室と他室との間を仕切り壁で仕切るものである。当該仕切り壁には断熱材が入れられており、他室の熱による保冷室の温度上昇が抑制されている。
【先行技術文献】
【特許文献】
【０００４】
【特許文献１】特開２００５−６８９４２号公報
【発明の概要】
【発明が解決しようとする課題】
【０００５】
しかしながら、特許文献１に記載の技術のように、建物の一部に収納室（保冷室）を設ける場合、当該収納室と他の空間との温度差によって結露が生じるおそれがある。このような結露の発生を抑制するために大掛かりな設備（例えば、除湿するための装置等）を設けると、コストが増大するおそれがある点で不利であった。
【０００６】
本発明は以上の如き状況に鑑みてなされたものであり、その解決しようとする課題は、収納室を具備する建物において、低コストで結露の発生を抑制することが可能な建物を提供することである。
【課題を解決するための手段】
【０００７】
本発明の解決しようとする課題は以上の如くであり、次にこの課題を解決するための手段を説明する。
【０００８】
即ち、建物は、屋外に隣接する収納室と、前記収納室に隣接する居室と、前記収納室内の空気を冷却する冷却装置と、前記屋外と前記収納室とを区画する屋外側壁と、前記収納室と前記居室とを区画する屋内側壁と、を具備し、前記屋外側壁は、その断熱性能が、前記屋内側壁よりも高くなるように形成されるものである。
【０００９】
また、前記収納室は、冷蔵室と、前記冷蔵室に隣接する前室と、を含み、前記冷却装置は、前記冷蔵室内の空気を冷却し、前記屋外側壁は、前記屋外と前記冷蔵室とを区画する第一の壁を含み、前記屋内側壁は、前記前室と前記居室とを区画する第二の壁を含み、前記冷蔵室と前記前室とを区画する第三の壁をさらに具備し、前記第三の壁は、その断熱性能が、前記第二の壁の断熱性能よりも高く、かつ前記第一の壁の断熱性能よりも低くなるように形成されるものである。
このような構成により、低コストで結露の発生を抑制することができる。
【００１０】
また前記屋外側壁は、前記屋外と前記前室とを区画する第四の壁をさらに具備し、前記第四の壁は、その断熱性能が、前記第三の壁の断熱性能よりも高く、かつ前記第一の壁の断熱性能よりも低くなるように形成してもよい。
このような構成により、低コストで結露の発生を抑制することができる。
【００１１】
また、前記第一の壁、前記第二の壁及び前記第三の壁は、以下の数式（１）を満たすように形成してもよい。
Ｕ１：Ｕ２：Ｕ３＝１：２．５〜１２．５：２．４〜４．０  ・・・  （１）
ここで、
Ｕ１  ：  第一の壁の熱貫流率
Ｕ２  ：  第二の壁の熱貫流率
Ｕ３  ：  第三の壁の熱貫流率
このような構成により、低コストで結露の発生を抑制することができる。
【００１２】
また、前記第一の壁、前記第二の壁、前記第三の壁及び前記第四の壁は、以下の数式（２）を満たすように形成してもよい。
Ｕ１：Ｕ２：Ｕ３：Ｕ４＝１：２．５〜１２．５：２．４〜４．０：１．５〜２．６  ・・・  （２）
ここで、
Ｕ１  ：  第一の壁の熱貫流率
Ｕ２  ：  第二の壁の熱貫流率
Ｕ３  ：  第三の壁の熱貫流率
Ｕ４  ：  第四の壁の熱貫流率
このような構成により、低コストで結露の発生を抑制することができる。
【００１３】
また、前記建物は、前記収納室及び前記居室の上方に亘る天井裏と、前記居室と前記天井裏とを区画する第一の天井と、前記収納室と前記天井裏とを区画する第二の天井と、をさらに具備し、前記第二の天井は、少なくとも一部が、前記第一の天井よりも低い位置に配置されてもよい。
このような構成により、収納室の上方において、天井裏を広く確保することができる。
【発明の効果】
【００１４】
低コストで結露の発生を抑制することができる。
【図面の簡単な説明】
【００１５】
【図１】第一実施形態に係る建物の構成を示した概略平面断面図。
【図２】第一実施形態に係る建物の構成を示した概略側面断面図。
【図３】（ａ）冷蔵室屋外側壁部を示した断面図。（ｂ）冷蔵室屋内側壁部を示した断面図。（ｃ）前室屋外側壁部を示した断面図。（ｄ）前室屋内側壁部を示した断面図。
【図４】第二実施形態に係る建物の構成を示した概略平面断面図。
【図５】第三実施形態に係る建物の構成を示した概略平面断面図。
【発明を実施するための形態】
【００１６】
以下では、図中の矢印に基づいて、前後方向、左右方向及び上下方向を定義して説明を行う。
【００１７】
まず、図１及び図２を用いて、第一実施形態に係る建物１００の概略構成について説明する。
【００１８】
建物１００は、人が居住する住宅である。建物１００の内部（具体的には、建物１００の１階部分）には、居室１０、収納室２０（冷蔵室３０及び前室４０）並びに天井裏５０等の空間が形成される。
【００１９】
居室１０は、建物１００の居住者が日常利用する部屋であり、本実施形態ではキッチンやリビング等を想定している。
【００２０】
収納室２０は、居室１０と区画され、当該居室１０よりも低温に保たれている部屋である。収納室２０は、さらに冷蔵室３０と前室４０とに区画される。
【００２１】
冷蔵室３０は、居室１０よりも低温に保たれている部屋である。冷蔵室３０には、各種の収納物が収納（保管）される。特に、冷蔵室３０は低温に保たれるため、食品等を保管するのに適している。冷蔵室３０は、建物１００の角（左前の角）に配置される。
【００２２】
前室４０は、居室１０と冷蔵室３０との間に配置される部屋である。前室４０は、後方から冷蔵室３０に隣接するように配置される。前室４０は、居室１０よりも低温かつ冷蔵室３０よりも高温に保たれる。前室４０は、冷蔵室３０と概ね同じ大きさになるように形成される。前室４０にも、各種の収納物を収納（保管）することができる。
【００２３】
天井裏５０は、居室１０、冷蔵室３０及び前室４０の上方に亘るように形成される空間である。
【００２４】
次に、建物１００の詳細な構成（主に、居室１０、冷蔵室３０、前室４０及び天井裏５０を区画するための構成）について説明する。
【００２５】
建物１００は、主として冷蔵室屋外側壁部１１１・１１２、冷蔵室屋内側壁部１２１・１２２、前室屋外側壁部１３１、前室屋内側壁部１４１・１４２、一般壁部１５０、１階床部１６０、第一天井部１７１、第二天井部１７２、２階床部１８０及び冷却ユニット１９０を具備する。
【００２６】
冷蔵室屋外側壁部１１１・１１２は、建物１００の外壁の一部分を形成し、冷蔵室３０と屋外１とを区画するものである。冷蔵室屋外側壁部１１１は、冷蔵室３０の前方に配置される。冷蔵室屋外側壁部１１２は、その前端が冷蔵室屋外側壁部１１１の左端と接続された状態で、冷蔵室３０の左方に配置される。
【００２７】
冷蔵室屋内側壁部１２１・１２２は、冷蔵室３０と居室１０及び前室４０とを区画するものである。冷蔵室屋内側壁部１２１は、その前端が冷蔵室屋外側壁部１１１の右端と接続された状態で、冷蔵室３０の右方に配置される。冷蔵室屋内側壁部１２２は、その左端が冷蔵室屋外側壁部１１２の後端と接続されると共に、その右端が冷蔵室屋内側壁部１２１の後端と接続された状態で、冷蔵室３０の後方に配置される。冷蔵室屋内側壁部１２２には、ドア１２２ａが設けられる。当該ドア１２２ａを介して、居住者は冷蔵室３０と前室４０との間を行き来することができる。なお、冷蔵室３０と前室４０との間での熱や空気の移動を抑制するために、ドア１２２ａにはアンダーカットは形成されていない。
【００２８】
前室屋外側壁部１３１は、建物１００の外壁の一部分を形成し、前室４０と屋外１とを区画するものである。前室屋外側壁部１３１は、その前端が冷蔵室屋外側壁部１１２の後端と接続された状態で、前室４０の左方に配置される。
【００２９】
前室屋内側壁部１４１・１４２は、前室４０と居室１０とを区画するものである。前室屋内側壁部１４１は、その前端が冷蔵室屋内側壁部１２１の後端及び冷蔵室屋内側壁部１２２の右端と接続された状態で、前室４０の右方に配置される。前室屋内側壁部１４２は、その左端が前室屋外側壁部１３１の後端と接続されると共に、その右端が前室屋内側壁部１４１の後端と接続された状態で、前室４０の後方に配置される。前室屋内側壁部１４２には、ドア１４２ａが設けられる。当該ドア１４２ａを介して、居住者は前室４０と居室１０との間を行き来することができる。なお、前室４０と居室１０との間での熱や空気の移動を抑制するために、ドア１４２ａにはアンダーカットは形成されていない。
【００３０】
一般壁部１５０は、建物１００の外壁の一部分を形成するものである。具体的には、一般壁部１５０は、建物１００の外壁のうち、上述の冷蔵室屋外側壁部１１１・１１２及び前室屋外側壁部１３１以外の部分を形成する。
【００３１】
このようにして、収納室２０（冷蔵室３０及び前室４０）は、冷蔵室屋外側壁部１１１・１１２及び前室屋外側壁部１３１によって屋外１と区画される。また収納室２０は、冷蔵室屋内側壁部１２１及び前室屋内側壁部１４１・１４２によって居室１０と区画される。
より具体的には、冷蔵室３０は、冷蔵室屋外側壁部１１１・１１２によって屋外１と区画される。また冷蔵室３０は、冷蔵室屋内側壁部１２１によって居室１０と区画される。また冷蔵室３０は、冷蔵室屋内側壁部１２２によって前室４０と区画される。
また前室４０は、前室屋外側壁部１３１によって屋外１と区画される。また前室４０は、前室屋内側壁部１４１・１４２によって居室１０と区画される。
【００３２】
１階床部１６０（図２参照）は、建物１００の１階部分の床を形成するものである。１階床部１６０は、冷蔵室３０、前室４０及び天井裏５０に亘って配置される。
【００３３】
第一天井部１７１（図２参照）は、建物１００の１階部分の天井の一部分を形成し、居室１０と天井裏５０とを区画するものである。第一天井部１７１は、居室１０の上方に配置される。
【００３４】
第二天井部１７２（図２参照）は、建物１００の１階部分の天井の一部分を形成し、冷蔵室３０及び前室４０と天井裏５０とを区画するものである。第二天井部１７２は、冷蔵室３０及び前室４０の上方に配置される。第二天井部１７２は、第一天井部１７１よりも低い位置に配置される。本実施形態においては、第二天井部１７２は、第一天井部１７１よりも約４００ｍｍ低い位置に配置される。
【００３５】
２階床部１８０（図２参照）は、建物１００の２階部分の床を形成するものである。２階床部１８０は、第一天井部１７１及び第二天井部１７２の上方（天井裏５０の上方）に配置される。
【００３６】
このようにして、天井裏５０は、第一天井部１７１及び第二天井部１７２によって居室１０、冷蔵室３０及び前室４０と区画される。また、第二天井部１７２は第一天井部１７１よりも低い位置に配置されている。このため、天井裏５０の冷蔵室３０及び前室４０の上方に位置する部分は、居室１０の上方に位置する部分よりも上下方向幅が広くなるように形成されている。
【００３７】
冷却ユニット１９０は、冷蔵室３０内の空気を冷却するものである。冷却ユニット１９０は、冷蔵室３０内の空気から熱を奪う冷却部と、奪った熱を排出する排熱部とが一体的に構成された、いわゆる一体型である。冷却ユニット１９０は、天井裏５０に配置される。具体的には、冷却ユニット１９０は、冷蔵室３０の上方において、第二天井部１７２に載置される。冷却ユニット１９０は、冷蔵室３０に対して開口され、冷却された空気を冷蔵室３０に送ることができる。また冷却ユニット１９０は、天井裏５０内に熱を排出（排熱）することができる。
【００３８】
冷却ユニット１９０の出力は、図示せぬ制御装置によって調節することができる。当該冷却ユニット１９０の出力を調節することで、ひいては冷蔵室３０内の温度を調節することができる。
【００３９】
次に、図１から図３までを用いて、冷蔵室屋外側壁部１１１・１１２等の断熱性について説明する。
【００４０】
上述の冷蔵室屋外側壁部１１１・１１２、冷蔵室屋内側壁部１２１・１２２、前室屋外側壁部１３１、前室屋内側壁部１４１・１４２、１階床部１６０、第一天井部１７１及び第二天井部１７２は、適宜の断熱性を有するように形成される。
【００４１】
図３に示すように、冷蔵室屋外側壁部１１１・１１２、冷蔵室屋内側壁部１２１・１２２、前室屋外側壁部１３１及び前室屋内側壁部１４１・１４２は、せっこうボード１０１及び硬質ウレタンフォーム１０２（前室屋内側壁部１４１・１４２はせっこうボード１０１）等により形成されている。
【００４２】
図３（ａ）に示すように、冷蔵室屋外側壁部１１１・１１２は、硬質ウレタンフォーム１０２（Ａ種２種１号）を２枚のせっこうボード１０１で挟み込んで形成される。せっこうボード１０１の厚さｔ１は、１２．５（ｍｍ）となるように形成される。冷蔵室屋外側壁部１１１・１１２の硬質ウレタンフォーム１０２の厚さｔ２は、８５〜１００（ｍｍ）（本実施形態においては、１００（ｍｍ））となるように形成される。このようにして、冷蔵室屋外側壁部１１１・１１２の熱貫流率（Ｕ値）は、０．２３〜０．２６（Ｗ／ｍ２・Ｋ）となるように形成される。以下、当該冷蔵室屋外側壁部１１１・１１２の熱貫流率（Ｕ値）をＵ１と称する。
【００４３】
図３（ｂ）に示すように、冷蔵室屋内側壁部１２１・１２２は、硬質ウレタンフォーム１０２（Ａ種２種１号）を２枚のせっこうボード１０１で挟み込んで形成される。冷蔵室屋内側壁部１２１・１２２の硬質ウレタンフォーム１０２の厚さｔ３は、２０〜３０（ｍｍ）（本実施形態においては、３０（ｍｍ））となるように形成される。このようにして、冷蔵室屋内側壁部１２１・１２２の熱貫流率（Ｕ値）は、０．６６〜０．９１（Ｗ／ｍ２・Ｋ）となるように形成される。以下、当該冷蔵室屋内側壁部１２１・１２２の熱貫流率（Ｕ値）をＵ３と称する。
【００４４】
図３（ｃ）に示すように、前室屋外側壁部１３１は、硬質ウレタンフォーム１０２（Ａ種２種１号）を２枚のせっこうボード１０１で挟み込んで形成される。前室屋外側壁部１３１の硬質ウレタンフォーム１０２の厚さｔ４は、３５〜５０（ｍｍ）（本実施形態においては、５０（ｍｍ））となるように形成される。このようにして、前室屋外側壁部１３１の熱貫流率（Ｕ値）は、０．４３〜０．５８（Ｗ／ｍ２・Ｋ）となるように形成される。以下、当該前室屋外側壁部１３１の熱貫流率（Ｕ値）をＵ４と称する。
【００４５】
図３（ｄ）に示すように、前室屋内側壁部１４１・１４２は、２枚のせっこうボード１０１の間に空間（空気層）を設けて形成される。２枚のせっこうボード１０１の隙間（空気層の厚さ）ｔ５は、３０（ｍｍ）となるように形成される。このようにして、前室屋内側壁部１４１・１４２の熱貫流率（Ｕ値）は、０．６６〜２．３６（Ｗ／ｍ２・Ｋ）となるように形成される。以下、当該前室屋内側壁部１４１・１４２の熱貫流率（Ｕ値）をＵ２と称する。なお、２枚のせっこうボード１０１の隙間ｔ５は、冬期には０（ｍｍ）程度、夏期には３０（ｍｍ）程度となるように形成されることが好ましい。
【００４６】
また、図２に示す１階床部１６０、第一天井部１７１及び第二天井部１７２には、厚さ５０（ｍｍ）の硬質ウレタンフォーム１０２（Ａ種２種１号）を設けて断熱性の向上を図っている。
【００４７】
このように、冷蔵室屋外側壁部１１１・１１２、冷蔵室屋内側壁部１２１・１２２、前室屋外側壁部１３１、前室屋内側壁部１４１・１４２、１階床部１６０、第一天井部１７１及び第二天井部１７２は、一般住宅用建材を用いて形成されている。
【００４８】
このように構成された冷蔵室屋外側壁部１１１・１１２、冷蔵室屋内側壁部１２１・１２２、前室屋外側壁部１３１及び前室屋内側壁部１４１・１４２（図２参照）の断熱性能を比較した場合、冷蔵室屋外側壁部１１１・１１２及び前室屋外側壁部１３１の断熱性能は、冷蔵室屋内側壁部１２１・１２２及び前室屋内側壁部１４１・１４２の断熱性能よりも高くなる。
より具体的には、冷蔵室３０と屋外１とを区画する冷蔵室屋外側壁部１１１・１１２の断熱性能が最も高くなる。その次に、前室４０と屋外１とを区画する前室屋外側壁部１３１の断熱性能が高くなる。その次に、冷蔵室３０と居室１０及び前室４０とを区画する冷蔵室屋内側壁部１２１・１２２の断熱性能が高くなる。また、前室４０と居室１０とを区画する前室屋内側壁部１４１・１４２の断熱性能が最も低くなる。
【００４９】
また、冷蔵室屋外側壁部１１１・１１２、冷蔵室屋内側壁部１２１・１２２、前室屋外側壁部１３１及び前室屋内側壁部１４１・１４２の熱貫流率（Ｕ値）Ｕ１〜Ｕ４は、以下の数式（１）を満たすように形成されている。
Ｕ１：Ｕ２：Ｕ３：Ｕ４＝１：２．５〜１２．５：２．４〜４．０：１．５〜２．６  ・・・  （１）
【００５０】
また、冷蔵室屋外側壁部１１１・１１２等の熱貫流率（Ｕ値）Ｕ１〜Ｕ４は、以下の数式（２）を満たすように形成されることがより好ましい。
Ｕ１：Ｕ２：Ｕ３：Ｕ４＝１：１２．５：３：２  ・・・  （２）
【００５１】
次に、図１及び図２を用いて、上述の如く構成された建物１００において、冷蔵室３０及び前室４０が冷却される様子について説明する。
【００５２】
冷却ユニット１９０が作動すると、当該冷却ユニット１９０によって冷蔵室３０内の熱が奪われ、当該冷蔵室３０内の空気が冷却される。本実施形態においては、冷蔵室３０内の温度は５〜１５（℃）になるように調節される。この際、冷却ユニット１９０が奪った冷蔵室３０内の熱は、天井裏５０内に排出される。
【００５３】
冷蔵室３０内の空気が冷却されると、当該冷熱は冷蔵室屋外側壁部１１１・１１２よりも断熱性能が低い冷蔵室屋内側壁部１２２を介して前室４０へと伝達される。これによって、前室４０内の空気も冷却される。冷蔵室屋内側壁部１２２は所定の断熱性を有しているため、前室４０は冷蔵室３０ほど低温になることはない。本実施形態においては、前室４０内の温度は１５〜２０（℃）になると想定される。
【００５４】
このように、冷蔵室３０内は低温になるため、冷蔵が必要な収納物を保管することができる。また前室４０内も、冷蔵室３０ほどではないが比較的低温になるため、低温での保存が必要な収納物を保管することができる。
【００５５】
また、冷蔵室３０と居室１０との間に（冷蔵室３０と隣接するように）前室４０を設けているため、冷蔵室３０と居室１０とが隣接する部分（冷蔵室３０と居室１０の間の壁）の面積を狭くすることができ、お互いの温度の影響を受け難い。具体的には、冷蔵室３０は、居室１０の温度の影響を受け難いため、当該冷蔵室３０を低温に保ち易くなる。また居室１０は、冷蔵室３０の温度の影響を受け難いため、当該居室１０の温度が意図せず下がり難くなり、居住者が快適な温度となるように調節し易くなる。
【００５６】
また、冷蔵室屋外側壁部１１１・１１２等の断熱性能を上述の如く設定しているため、当該冷蔵室屋外側壁部１１１・１１２等の表面や内部における結露の発生を抑制することができる。
【００５７】
この際、温度差が最も大きくなり易いと考えられる冷蔵室３０と屋外１との間の壁（冷蔵室屋外側壁部１１１・１１２）の断熱性能を最も高くすることで、当該冷蔵室屋外側壁部１１１・１１２における結露の発生を効果的に抑制することができる。
【００５８】
また、温度差が２番目に大きくなり易いと考えられる前室４０と屋外１との間の壁（前室屋外側壁部１３１）は、冷蔵室屋外側壁部１１１・１１２ほどの断熱性能は必要ない。そこで、当該前室屋外側壁部１３１の断熱性能を２番目に高くする（冷蔵室屋外側壁部１１１・１１２と比べて断熱性能を低く抑える）ことで、断熱性能を確保するためにかかるコストの削減を図ることができる。
【００５９】
また、温度差が３番目に大きくなり易いと考えられる冷蔵室３０と前室４０及び居室１０との間の壁（冷蔵室屋内側壁部１２１・１２２）は、冷蔵室屋外側壁部１１１・１１２及び前室屋外側壁部１３１ほどの断熱性能は必要ない。そこで、当該冷蔵室屋内側壁部１２１・１２２の断熱性能を３番目に高くする（前室屋外側壁部１３１と比べて断熱性能を低く抑える）ことで、断熱性能を確保するためにかかるコストの削減を図ることができる。
【００６０】
さらに、あまり温度差がないと考えられる前室４０と居室１０との間の壁（前室屋内側壁部１４１・１４２）は、冷蔵室屋外側壁部１１１・１１２、前室屋外側壁部１３１及び冷蔵室屋内側壁部１２１・１２２ほどの断熱性能は必要ない。そこで、当該前室屋内側壁部１４１・１４２の断熱性能を最も低くする（冷蔵室屋内側壁部１２１・１２２と比べて断熱性能を低く抑える）ことで、断熱性能を確保するためにかかるコストの削減を図ることができる。
【００６１】
上述の如く断熱性能が設定された冷蔵室屋外側壁部１１１・１１２等は、一般住宅建材によって形成することができる。これによって、断熱性能の確保や結露の発生の抑制のために特殊な素材や構造を適用する必要がなくなる。このため、建物１００のデザインやレイアウトが制限され難くなる。
【００６２】
また、居室１０と冷蔵室３０との間の壁（冷蔵室屋内側壁部１２１）にはドアを設けていないため、居室１０から冷蔵室３０に出入りする際には、必ず前室４０を通ることになる。このような構成によっても、居室１０と冷蔵室３０との間の断熱性を高めている。また、居室１０内の湿った空気が冷蔵室３０内へと流入し難くなるため、当該冷蔵室３０内における結露の発生を抑制することもできる。
【００６３】
以上の如く、本実施形態に係る建物１００は、
屋外１に隣接する収納室２０と、
収納室２０に隣接する居室１０と、
収納室２０内の空気を冷却する冷却ユニット１９０（冷却装置）と、
屋外１と収納室２０とを区画する屋外側壁（冷蔵室屋外側壁部１１１・１１２及び前室屋外側壁部１３１）と、
収納室２０と居室１０とを区画する屋内側壁（冷蔵室屋内側壁部１２１及び前室屋内側壁部１４１・１４２）と、
を具備し、
前記屋外側壁は、その断熱性能が、前記屋内側壁よりも高くなるように形成されるものである。
【００６４】
このように構成することにより、低コストで結露の発生を抑制することができる。
すなわち、主に各部屋を区画する壁の断熱性能を適宜設定するだけで結露の発生を抑制することができるため、大掛かりな設備を必要とせず、コストの削減を図ることができる。特に本実施形態の如く、屋外側壁と屋内側壁との断熱性能に差を設けることで、コストの削減を図ることができる。
【００６５】
また、収納室２０は、
冷蔵室３０と、
冷蔵室３０に隣接する前室４０と、
を含み、
冷却ユニット１９０は、
冷蔵室３０内の空気を冷却し、
前記屋外側壁は、
屋外１と冷蔵室３０とを区画する冷蔵室屋外側壁部１１１・１１２（第一の壁）を含み、
前記屋内側壁は、
前室４０と居室１０とを区画する前室屋内側壁部１４１・１４２（第二の壁）を含み、
冷蔵室３０と前室４０とを区画する冷蔵室屋内側壁部１２２（第三の壁）をさらに具備し、
冷蔵室屋内側壁部１２２は、その断熱性能が、前室屋内側壁部１４１・１４２の断熱性能よりも高く、かつ冷蔵室屋外側壁部１１１・１１２の断熱性能よりも低くなるように形成されるものである。
【００６６】
このように構成することにより、低コストで結露の発生を抑制することができる。
すなわち、主に各部屋を区画する壁の断熱性能を適宜設定するだけで結露の発生を抑制することができるため、大掛かりな設備を必要とせず、コストの削減を図ることができる。特に本実施形態の如く、壁ごとに適切な断熱性能となるように、各壁の断熱性能に差を設けることで、コストの削減を図ることができる。また、複数の壁の断熱性能に差を設けたことにより、冷蔵室３０内の空気を冷却する冷却ユニット１９０からの冷熱で、前室４０も冷却することができる。さらに、冷蔵室３０と前室４０との間に温度差を設けることができ、当該２つの部屋を適宜使い分けることができる。
【００６７】
また、前記屋外側壁は、
屋外１と前室４０とを区画する前室屋外側壁部１３１（第四の壁）をさらに具備し、
前室屋外側壁部１３１は、その断熱性能が、冷蔵室屋内側壁部１２２の断熱性能よりも高く、かつ冷蔵室屋外側壁部１１１・１１２の断熱性能よりも低くなるように形成されるものである。
【００６８】
このように構成することにより、低コストで結露の発生を抑制することができる。
【００６９】
また、冷蔵室屋外側壁部１１１・１１２、前室屋内側壁部１４１・１４２及び冷蔵室屋内側壁部１２２は、以下の数式（３）を満たすように形成されている。
Ｕ１：Ｕ２：Ｕ３＝１：２．５〜１２．５：２．４〜４．０  ・・・  （３）
ここで、
Ｕ１  ：  冷蔵室屋外側壁部１１１・１１２の熱貫流率
Ｕ２  ：  前室屋内側壁部１４１・１４２の熱貫流率
Ｕ３  ：  冷蔵室屋内側壁部１２２の熱貫流率
【００７０】
このように構成することにより、低コストで結露の発生を抑制することができる。
すなわち、上述の如く熱貫流率の値を設定することで、各部屋の壁における結露の発生を抑制しながら、コストの削減も図ることができる。さらに、冷蔵室３０（冷却ユニット１９０）の冷熱を用いて前室４０を適切に冷却することができる。
【００７１】
また、冷蔵室屋外側壁部１１１・１１２、前室屋内側壁部１４１・１４２、冷蔵室屋内側壁部１２２及び前室屋外側壁部１３１は、以下の数式（４）を満たすように形成されている。
Ｕ１：Ｕ２：Ｕ３：Ｕ４＝１：２．５〜１２．５：２．４〜４．０：１．５〜２．６  ・・・  （４）
ここで、
Ｕ１  ：  冷蔵室屋外側壁部１１１・１１２の熱貫流率
Ｕ２  ：  前室屋内側壁部１４１・１４２の熱貫流率
Ｕ３  ：  冷蔵室屋内側壁部１２２の熱貫流率
Ｕ４  ：  前室屋外側壁部１３１の熱貫流率
【００７２】
このように構成することにより、低コストで結露の発生を抑制することができる。
【００７３】
また、建物１００は、
収納室２０及び居室１０の上方に亘る天井裏５０と、
居室１０と天井裏５０とを区画する第一天井部１７１（第一の天井）と、
収納室２０と天井裏５０とを区画する第二天井部１７２（第二の天井）と、
をさらに具備し、
第二天井部１７２は、
少なくとも一部が、第一天井部１７１よりも低い位置に配置されるものである。
【００７４】
このように構成することにより、収納室２０の上方において、天井裏５０を広く確保することができる。
これによって、当該天井裏５０を有効活用することができる。具体的には、天井裏５０に、種々の装置を配置するスペースを確保することができる。本実施形態においては、天井裏５０に冷却ユニット１９０を配置するスペースを確保している。さらに、本実施形態においては、天井裏５０を広く確保することによって、冷却ユニット１９０から多くの熱を当該天井裏５０に排出することができる。
【００７５】
また、本実施形態においては、冷蔵室３０と居室１０及び屋外１とを区画する壁（冷蔵室屋外側壁部１１１・１１２及び冷蔵室屋内側壁部１２１）にはドアを設けていない。これによって、冷蔵室３０の断熱性を高めると共に、当該冷蔵室３０内における結露の発生を抑制することができる。
【００７６】
なお、本実施形態に係る冷却ユニット１９０は、冷却装置の実施の一形態である。
また、本実施形態に係る冷蔵室屋外側壁部１１１・１１２及び前室屋外側壁部１３１は、屋外側壁の実施の一形態である。
また、本実施形態に係る冷蔵室屋内側壁部１２１及び前室屋内側壁部１４１・１４２は、屋内側壁の実施の一形態である。
また、本実施形態に係る冷蔵室屋外側壁部１１１・１１２は、第一の壁の実施の一形態である。
また、本実施形態に係る前室屋内側壁部１４１・１４２は、第二の壁の実施の一形態である。
また、本実施形態に係る冷蔵室屋内側壁部１２２は、第三の壁の実施の一形態である。
また、本実施形態に係る前室屋外側壁部１３１は、第四の壁の実施の一形態である。
また、本実施形態に係る第一天井部１７１は、第一の天井の実施の一形態である。
また、本実施形態に係る第二天井部１７２は、第二の天井の実施の一形態である。
【００７７】
以上、本発明の第一実施形態を説明したが、本発明は上記構成に限定されるものではなく、特許請求の範囲に記載された発明の範囲内で種々の変更が可能である。
【００７８】
例えば、上記第一実施形態においては、具体的な数値を用いて各部の説明を行ったが、当該数値は任意に変更することが可能である。
【００７９】
また、第一実施形態に係る建物１００は住宅であるものとして説明したが、その他の種々の建物（店舗併用住宅、商業施設等）に広く適用することが可能である。
【００８０】
また、建物１００（居室１０、収納室２０（冷蔵室３０及び前室４０）並びに天井裏５０）の形状や配置等は第一実施形態のものに限定するものではなく、任意に変更することが可能である。
【００８１】
また、第一実施形態においては、第二天井部１７２全体が第一天井部１７１よりも低い位置に配置されるものとしたが、第二天井部１７２の一部のみが第一天井部１７１よりも低い位置に配置される構成としてもよい。例えば、第二天井部１７２のうち、冷蔵室３０の上方に位置する部分のみを、第一天井部１７１よりも低い位置に配置する構成としてもよい。
【００８２】
また、第一実施形態においては、冷却ユニット１９０はいわゆる一体型に形成されるものとしたが、例えば冷却部と排熱部（室外機）とが分離されたセパレート型に形成されていてもよい。この場合、天井裏５０を、冷却部と排熱部とを接続する配管を配置するスペースとして用いることも可能である。
【００８３】
以下では、第二実施形態に係る建物２００の構成について説明する。なお、第一実施形態に係る建物１００と同様の構成については同様の符号を付して説明を適宜省略する。
【００８４】
建物２００には、居室１０、収納室２０（冷蔵室３０及び３つの前室（第一前室４１、第二前室４２及び第三前室４３））等の空間が形成される。
【００８５】
冷蔵室３０は、建物２００の前端部に配置される。
【００８６】
３つの前室は、冷蔵室３０を囲むように配置される。具体的には、第一前室４１は後方から冷蔵室３０に隣接するように配置される。第二前室４２は、左方から冷蔵室３０及び第一前室４１に隣接するように配置される。第三前室４３は、右方から冷蔵室３０及び第一前室４１に隣接するように配置される。
【００８７】
建物２００は、主として冷蔵室屋外側壁部２１１、冷蔵室屋内側壁部２２１・２２２・２２３、前室屋外側壁部２３１・２３２、前室屋内側壁部２４１・２４２・２４３・２４４・２４５、一般壁部１５０及び冷却ユニット１９０を具備する。
【００８８】
冷蔵室屋外側壁部２１１は、建物２００の外壁の一部分を形成し、冷蔵室３０と屋外１とを区画するものである。冷蔵室屋外側壁部２１１は、冷蔵室３０の前方に配置される。
【００８９】
冷蔵室屋内側壁部２２１・２２２・２２３は、冷蔵室３０と３つの前室とを区画するものである。冷蔵室屋内側壁部２２１は冷蔵室３０の後方に、冷蔵室屋内側壁部２２２は冷蔵室３０の左方に、冷蔵室屋内側壁部２２３は冷蔵室３０の右方に、それぞれ配置される。冷蔵室屋内側壁部２２２・２２３には、それぞれドア２２２ａ・２２３ａが設けられる。
【００９０】
前室屋外側壁部２３１・２３２は、建物１００の外壁の一部分を形成し、第二前室４２及び第三前室４３と屋外１とをそれぞれ区画するものである。前室屋外側壁部２３１は第二前室４２の前方に、前室屋外側壁部２３２は第三前室４３の前方に、それぞれ配置される。
【００９１】
前室屋内側壁部２４１・２４２・２４３・２４４・２４５は、３つの前室と居室１０とを区画すると共に、３つの前室同士を区画するものである。前室屋内側壁部２４１は、第二前室４２の左方に配置される。前室屋内側壁部２４２は、第一前室４１、第二前室４２及び第三前室４３の後方に亘るように配置される。前室屋内側壁部２４３は、第三前室４３の右方に配置される。前室屋内側壁部２４４は、第一前室４１と第二前室４２との間に配置される。前室屋内側壁部２４５は、第一前室４１と第三前室４３との間に配置される。前室屋内側壁部２４２には、ドア２４２ａ・２４２ｂが設けられる。ドア２４２ａは、第二前室４２と対向する位置に配置される。ドア２４２ｂは、第一前室４１と対向する位置に配置される。前室屋内側壁部２４３には、ドア２４３ａが設けられる。
【００９２】
冷蔵室屋外側壁部２１１、冷蔵室屋内側壁部２２１・２２２・２２３、前室屋外側壁部２３１・２３２、前室屋内側壁部２４１・２４２・２４３・２４４・２４５は、第一実施形態に係る冷蔵室屋外側壁部１１１・１１２等と同様に、せっこうボード１０１及び硬質ウレタンフォーム１０２（前室屋内側壁部２４１・２４２・２４３・２４４・２４５はせっこうボード１０１）等により形成されている（図３参照）。
【００９３】
また、冷蔵室屋外側壁部２１１の熱貫流率（Ｕ値）はＵ１、冷蔵室屋内側壁部２２１・２２２・２２３の熱貫流率（Ｕ値）はＵ３、前室屋外側壁部２３１・２３２の熱貫流率（Ｕ値）はＵ４、前室屋内側壁部２４１・２４２・２４３・２４４・２４５の熱貫流率（Ｕ値）はＵ２となるように、それぞれ形成されている。
【００９４】
このように構成された建物２００において、冷却ユニット１９０が作動すると、冷蔵室３０内の空気が冷却される。本実施形態においては、冷蔵室３０内の温度は５〜１５（℃）になるように調節される。
【００９５】
冷蔵室３０内の空気が冷却されると、当該冷熱は冷蔵室屋外側壁部２１１よりも断熱性能が低い冷蔵室屋内側壁部２２１・２２２・２２３を介して３つの前室へと伝達される。これによって、当該３つの前室内の空気も冷却される。冷蔵室屋内側壁部２２１・２２２・２２３は所定の断熱性を有しているため、３つの前室は冷蔵室３０ほど低温になることはない。本実施形態においては、３つの前室内の温度は１５〜２０（℃）になると想定される。
【００９６】
本実施形態の如く、冷蔵室３０の周囲（屋内側）を前室（第一前室４１、第二前室４２及び第三前室４３）により囲むことで、冷蔵室３０と居室１０とを隔離する（隣接させない）構成とすることも可能である。このように構成することにより、冷蔵室３０及び居室１０が、お互いの温度の影響を受け難くすることができる。
【００９７】
また、本実施形態の如く、前室を複数（本実施形態においては、３つ）に区画することも可能である。このように構成することにより、用途に応じて３つの前室を使い分けることができる。
【００９８】
以上、本発明の第二実施形態を説明したが、本発明は上記構成に限定されるものではなく、特許請求の範囲に記載された発明の範囲内で種々の変更が可能である。
【００９９】
例えば、第二実施形態においては前室を複数に区画する構成を例示したが、冷蔵室３０を複数に区画することも可能である。
【０１００】
また、第二実施形態においては、３つの前室を同じ温度に調整する例を示したが、当該３つの前室内の温度を互いに異なる温度に調整する構成とすることも可能である。例えば、冷蔵室３０と３つの前室との間の壁（冷蔵室屋内側壁部２２１・２２２・２２３）の断熱性能に差を設けることで、３つの前室の温度を互いに異なる温度に調整することができる。このように、複数の前室の温度を互いに異なる温度に調整することで、用途に応じて当該複数の前室を使い分けることができる。
【０１０１】
以下では、第三実施形態に係る建物３００の構成について説明する。なお、第一実施形態に係る建物１００と同様の構成については同様の符号を付して説明を適宜省略する。
【０１０２】
建物３００には、居室１０、収納室２０（冷蔵室３０及び前室４０）等の空間が形成される。
【０１０３】
冷蔵室３０は、建物２００の前端部に配置される。より詳細には、冷蔵室３０は、建物３００の一般壁部１５０から外側（屋外１側）に突出するように配置される。
【０１０４】
前室４０は、後方から冷蔵室３０に隣接するように配置される。前室４０は、建物３００の一般壁部１５０よりも内側に（外側に突出しないように）配置される。
【０１０５】
建物３００は、主として冷蔵室屋外側壁部３１１・３１２・３１３、冷蔵室屋内側壁部３２１、前室屋内側壁部３４１・３４２・３４３、一般壁部１５０及び冷却ユニット１９０を具備する。
【０１０６】
冷蔵室屋外側壁部３１１・３１２・３１３は、建物３００の外壁の一部分を形成し、冷蔵室３０と屋外１とを区画するものである。冷蔵室屋外側壁部３１１は冷蔵室３０の前方に、冷蔵室屋外側壁部３１２は冷蔵室３０の左方に、冷蔵室屋外側壁部３１３は冷蔵室３０の右方に、それぞれ配置される。
【０１０７】
冷蔵室屋内側壁部３２１は、冷蔵室３０と前室４０とを区画するものである。冷蔵室屋内側壁部３２１は、冷蔵室３０の後方に配置される。冷蔵室屋内側壁部３２１には、ドア３２１ａが設けられる。
【０１０８】
前室屋内側壁部３４１・３４２・３４３は、前室４０と居室１０とを区画するものである。前室屋内側壁部３４１は前室４０の後方に、前室屋内側壁部３４２は前室４０の左方に、前室屋内側壁部３４３は前室４０の右方に、それぞれ配置される。前室屋内側壁部３４１には、ドア３４１ａが設けられる。
【０１０９】
冷蔵室屋外側壁部３１１・３１２・３１３の熱貫流率（Ｕ値）はＵ１、冷蔵室屋内側壁部３２１の熱貫流率（Ｕ値）はＵ３、前室屋内側壁部３４１・３４２・３４３の熱貫流率（Ｕ値）はＵ２となるように、それぞれ形成されている。
【０１１０】
本実施形態の如く、前室４０が屋外１と隣接しないように配置することも可能である。これによって、前室４０が屋外１の温度の影響を受け難くすることができる。また一般壁部１５０から外側に突出するように形成された冷蔵室３０は、断熱性能の高い冷蔵室屋外側壁部３１１・３１２・３１３によって屋外１と区画されているため、屋外１の温度の影響を受け難くすることができる。
【符号の説明】
【０１１１】
１０    居室
２０    冷蔵室
３０    前室
４０    天井裏
１００  建物
１１１  冷蔵室屋外側壁部
１１２  冷蔵室屋外側壁部
１２２  冷蔵室屋内側壁部
１４１  前室屋内側壁部
１４２  前室屋内側壁部
１７１  第一天井部
１７２  第二天井部
１９０  冷却ユニット
【図１】
2017110352.tif 000003
【図２】
2017110352.tif 000004
【図３】
2017110352.tif 000005
【図４】
2017110352.tif 000006
【図５】
2017110352.tif 000007